(57)【特許請求の範囲】
【請求項１】
内容物が充填される胴部と、
この胴部の下端開口部に固定状態で嵌合された底蓋と、
胴部の上端開口部に設けられ、胴部内の内容物を吐出孔に導入する導入操作部と、
一端開口部が胴部内の下部に位置されるように胴部内に設けられ、内部が前記吐出孔に連通可能とされた導入筒部と、
胴部の上部内面に下降摺動可能に嵌合された中皿とを備えた中皿下降式吐出容器であって、
前記底蓋が、透明若しくは半透明の樹脂材料により形成され、
前記胴部の下端部内面、若しくは底蓋には、残量表示部が形成され、胴部内の内容物を使い切り前記中皿が底蓋に当接したときに、この中皿の一部により前記残量表示部を指させる構成とされたことを特徴とする中皿下降式吐出容器。
【発明の詳細な説明】
【技術分野】
【０００１】
本発明は、例えば化粧用クリーム等の高粘度の内容物を吐出するのに好適な中皿下降式吐出容器に関するものである。
【背景技術】
【０００２】
この種の容器として、例えば下記特許文献１に示されるような、内容物が充填される胴部と、胴部の上端開口部に設けられ、胴部内の内容物を吐出孔に導入する導入操作部と、一端開口部が胴部内の下部に位置されるように胴部内に設けられ、内部が前記吐出孔に連通可能とされた導入筒部と、胴部の上部内面に下降摺動可能に嵌合された中皿とを備えた構成が知られている。
このような容器に充填される内容物は、光が照射されると変質する材質であることが多いため、中皿下降式吐出容器の前記各構成物品を着色したり、遮光ラベルを貼着したりして、この容器に遮光性を付与することがなされている。
【特許文献１】特開２００１−２９９４４５号公報
【発明の開示】
【発明が解決しようとする課題】
【０００３】
しかしながら、従来の中皿下降式吐出容器では、前記のように遮光性が付与されていたので、需要者においては、内容物を使用する過程においてその残量を把握することが困難であり、例えばそのときの内容物の残量に応じてその商品を購入するタイミングを的確に把握することができない等といった意見もあり、顧客満足度を十分に満たしているとは言い切れなかった。
【０００４】
本発明は、このような事情を考慮してなされたもので、内容物が光の照射により変質する材質であっても、この内容物を変質させることなく、その残量を的確に把握することができる中皿下降式吐出容器を提供することを目的とする。
【課題を解決するための手段】
【０００５】
このような課題を解決して、前記目的を達成するために、本発明の中皿下降式吐出容器は、内容物が充填される胴部と、この胴部の下端開口部に固定状態で嵌合された底蓋と、胴部の上端開口部に設けられ、胴部内の内容物を吐出孔に導入する導入操作部と、一端開口部が胴部内の下部に位置されるように胴部内に設けられ、内部が前記吐出孔に連通可能とされた導入筒部と、胴部の上部内面に下降摺動可能に嵌合された中皿とを備えた中皿下降式吐出容器であって、前記底蓋が、透明若しくは半透明の樹脂材料により形成され、前記胴部の下端部内面、若しくは底蓋には、残量表示部が形成され、胴部内の内容物を使い切り前記中皿が底蓋に当接したときに、この中皿の一部により前記残量表示部を指させる構成とされたことを特徴とする。
【０００６】
この発明によれば、底蓋が透明若しくは半透明の樹脂材料により形成されているので、この容器を底蓋の外側から見たときに、胴部の内部を底蓋を通して目視することが可能になり、内容物の残量を的確に把握することができる。
また、中皿下降式吐出容器の外側から胴部の内部を目視することが可能になることから、この容器外からの光が内容物を照射し、この内容物が変色する等の変質するおそれが考えられるが、本発明では、中皿下降式吐出容器の構成物品のうち、底蓋のみを透明、若しくは半透明としているので、このような変質の発生を防ぐことができる。すなわち、この容器に光が照射される状況下、例えば店頭での販売時等では、この容器は、底蓋が棚や支持台等の表面に接触した状態で配置されるので、この底蓋から胴部内に光が入るのを防ぐことができる。
以上より、内容物が光によって変質してしまう材質であっても、この内容物を変質させることなく、その残量を的確に把握することができる。
【０００８】
この場合、前記残量表示部が形成されて、内容物が使い切られたときに中皿によりこの残量表示部を指させるので、内容物を使用する過程において前記中皿の一部と残量表示部との距離を目視で確認することが可能になり、内容物の残量を的確に把握することができる。
【発明の効果】
【０００９】
本発明に係る中皿下降式吐出容器によれば、内容物が光によって変質してしまう材質であっても、この内容物を変質させることなく、その残量を的確に把握することができる。
【発明を実施するための最良の形態】
【００１０】
以下、図面を参照し、この発明の実施の形態について説明する。図１から図３は、この発明の一実施形態として示した中皿下降式吐出容器の概略構成を示すものである。
本実施形態の中皿下降式吐出容器１０は、内容物が充填される胴部１１と、この胴部１１の下端開口部に固定状態で嵌合された底蓋１１ａと、胴部１１の上端開口部に設けられ、胴部１１内の内容物を吐出孔１７に導入する導入操作部２０と、一端開口部２１ａが胴部１１内の下部に位置されるように胴部１１内に設けられ、内部が吐出孔１７に連通可能とされた導入筒部２１と、胴部１１の上部内面に下降摺動可能に嵌合された中皿１２とを備えている。
【００１１】
本実施形態の導入操作部２０は、胴部１１の上部内側に配設されてその下端部が導入筒部２１の上端開口部に嵌合されたシリンダ部材１４と、このシリンダ部材１４の上部内面に上下摺動可能に嵌め込まれた筒状ピストン１５と、この筒状ピストン１５をその下面側から支持し、上方に向けて延在したステム１６と、このステム１６の上端部に、圧縮ばね１８ａにより上方に付勢された状態で装着された吐出孔１７付き押し下げヘッド１８とを備えている。
【００１２】
吐出孔１７付き押し下げヘッド１８の内側においてその径方向外方部には取付け部材２２が設けられ、この取付け部材２２の径方向内方側に位置する第１内周面に形成された雌ねじ部２２ａが、胴部１１の上端開口部の外周面に形成された雄ねじ部１１ｂに螺合されることにより、導入操作部２０が胴部１１の上端開口部に配設されている。
【００１３】
次に、以上の中皿下降式吐出容器１０の作動について説明する。
図１に示す状態から圧縮ばね１８ａの弾性力に抗して押し下げヘッド１８を押し下げると、ステム１６が筒状ピストン１５に対して相対的に下降し、かつシリンダ１４内の内容物が加圧されるため、その内容物がステム１６に穿設された吐出孔１６ａおよびステム１６の内部等を通って吐出孔１７から吐出される。
【００１４】
一方、この押し下げを解除すると、圧縮ばね１８ａの弾性力によりステム１６が筒状ピストン１５に対して相対的に上昇してシリンダ１４とステム１６との連通が遮断され、かつシリンダ１４内が負圧化する。これにより、胴部１１内において導入筒部２１の外側に位置する内容物が、この導入筒部２１の一端開口部２１ａから導入筒部２１の内部に流入するとともに、この導入筒部２１内の内容物がシリンダ１４内に流入する。この際、内容物の前記流入に伴い中皿１２が胴部１１の内部を下降摺動する。そして、胴部１１内において導入筒部２１の外側に位置する内容物がなくなったときに、図２に示されるように、中皿１２の裏面側が底蓋１１ａの表面に当接する。
【００１５】
そして、本実施形態では、底蓋１１ａが、透明若しくは半透明の樹脂材料、例えばポリエチレンテレフタレート等により形成され、胴部１１の内部が底蓋１１ａの外側から図３に示されるように目視できるようになっている。なお、導入操作部２０の少なくとも一部および胴部１１の全体は、着色されたり、あるいは遮光ラベルが貼着されて、底蓋１１ａを除くこの中皿下降式吐出容器１０の外表面から胴部１１内に光が入射されないようになっている。
【００１６】
さらに、本実施形態では、胴部１１の下端部内面、若しくは底蓋１１ａには、残量表示部１１ｃが形成されている。そして、胴部１１内の内容物を使い切り、すなわち胴部１１内において導入筒部２１の外側に位置する内容物がなくなり、中皿１２が底蓋１１ａの表面に当接したときに、この中皿１２の一部により残量表示部１１ｃを指させるようになっている。
【００１７】
図示の例では、残量表示部１１ｃが、胴部１１の下端部内面にその略全周にわたって形成された凹み部とされている。なお、凹み部とはいわゆる引っかき傷のようなものが含まれるものとする。
また、中皿１２が、底蓋１１ａの表面のうち胴部１１内に位置する部分に当接すると、図３（ｂ）に示されるように、中皿１２の下端外周縁部１２ａが、残量表示部１１ｃを指さすように構成されている。
【００１８】
以上説明したように、本実施形態による中皿下降式吐出容器１０によれば、底蓋１１ａが透明若しくは半透明の樹脂材料により形成されているので、この容器１０を底蓋１１ａの外側から見たときに、胴部１１の内部を底蓋１１ａを通して目視することが可能になり、内容物の残量を的確に把握することができる。
【００１９】
また、中皿下降式吐出容器１０の外側から胴部１１の内部を目視することが可能になることから、この容器１０の外側からの光が内容物を照射することにより、この内容物が変色する等の変質するおそれが考えられるが、本実施形態では、中皿下降式吐出容器１０の構成物品のうち、底蓋１１ａのみを透明、若しくは半透明としているので、このような変質の発生を防ぐことができる。
【００２０】
すなわち、中皿下降式吐出容器１０に光が照射される状況下、例えば店頭での販売時等では、この容器１０は、底蓋１１ａが棚や支持台等の表面に接触した状態で配置されるので、この底蓋１１ａから胴部１１内に光が入るのを防ぐことができる。
以上より、内容物が光によって変質してしまう材質であっても、この内容物を変質させることなく、その残量を的確に把握することができる。
【００２１】
また、残量表示部１１ｃが形成されて、内容物が使い切られたときに中皿１２の下端外周縁部１２ａによりこの残量表示部１１ｃを指させるので、内容物を使用する過程において中皿１２の下端外周縁部１２ａと残量表示部１１ｃとの距離を目視で確認することが可能になり、内容物の残量を的確に把握することができる。
【００２２】
なお、本発明の技術的範囲は前記実施の形態に限定されるものではなく、本発明の趣旨を逸脱しない範囲において種々の変更を加えることが可能である。
例えば、前記導入操作部２０に代えて、例えば前記特許文献１に示されるように、回転操作により直接、中皿を下降摺動させることができる構成を採用し、この中皿の裏面により胴部内の内容物を押圧して導入筒部内に流入させるとともに、この導入筒部内の内容物をノズルに供給してノズルから吐出させるようにしてもよい。
【００２３】
また、前記実施形態では、中皿１２が胴部１１の下端に位置されると、図３（ｂ）に示されるように、中皿１２のうち下端外周縁部１２ａが残量表示部１１ｃを指す構成を示したが、これに代えて、中皿１２のうち下端外周縁部１２ａ以外の部分で残量表示部１１ｃを指すようにしてもよい。
さらに、前記実施形態では、残量表示部１１ｃとして凹み部を示したが、これに代えて、突起部であってもよいし、この突起部または前記凹み部と、文字若しくは記号等との結合であってもよい。
さらにまた、図示の例では、残量表示部１１ｃを胴部１１の下端部内周面に形成したが、例えば底蓋１１ａに形成するようにしてもよい。
【産業上の利用可能性】
【００２４】
内容物が光によって変質してしまう材質であっても、この内容物を変質させることなく、その残量を的確に把握することができる中皿下降式吐出容器を提供する。
【図面の簡単な説明】
【００２５】
【図１】本発明の一実施形態として示した中皿下降式吐出容器であって、内容物が十分に充填されている状態を示す一部断面側面図である。
【図２】図１に示す中皿下降式吐出容器の下部であって、内容物が略使い切られた状態を示す一部断面側面図である。
【図３】図１および図２に示す中皿下降式吐出容器を底蓋の外側から見た斜視図であって、（ａ）内容物がまだ使い切られていない状態、および（ｂ）内容物が略使い切られた状態を示すものである。
【符号の説明】
【００２６】
１０  中皿下降式吐出容器
１１  胴部
１１ａ  底蓋
１１ｃ  残量表示部
１２  中皿
１２ａ  下端外周縁部（中皿の一部）
１７  吐出孔
２０  導入操作部
２１  導入筒部
２１ａ  一端開口部
【図１】
0004804913.tif 000002
【図２】
0004804913.tif 000003
【図３】
0004804913.tif 000004